(57)【特許請求の範囲】
【請求項１】
原稿からの反射光を集光するレンズと、このレンズからの出力光を電気信号に変換する光電変換手段と、前記レンズと前記光電変換手段との間に配置され前記レンズからの出力光以外の外光が前記光電変換手段に入光するのを遮断する遮光カバーとを具備し、前記遮光カバーの高さは、前記レンズの高さより低く且つ前記レンズを通過する光路を妨げない高さであり、前記遮光カバーは、レンズの光電変換手段側の上面を覆わず、且つ前記レンズの光電変換手段側の両側を覆い、この覆っている部分は２重壁構造になっており、固定用のつめのために外壁に設けられた溝から入る外光を内壁が遮蔽することを特徴とする読取装置。
【請求項２】
光電変換手段を取り付ける光電変換手段取付板を設け、この光電変換手段取付板はその上辺をレンズ側に曲げ、また、前記遮光カバーの光電変換手段側は前記光電変換手段取付板の曲げた部分の下方に差込まれて固定されていることを特徴とする請求項１記載の読取装置。
【請求項３】
光電変換手段を取り付ける光電変換手段取付板を設け、この光電変換手段取付板はその上辺をレンズ側に曲げ、また、前記遮光カバーの光電変換手段側はその上辺に光電変換手段側に突き出たひさし部を設けて、このひさし部を前記光電変換手段取付板の曲げた部分の下方に差込み固定したことを特徴とする請求項１記載の読取装置。
【請求項４】
請求項１乃至請求項３のいずれかの読取装置を用いた複写機又は複合機。
【発明の詳細な説明】
【０００１】
【発明の属する技術分野】
本発明は、レンズで集光された光以外の外光が光電変換手段に入光するのを遮断する遮光カバーを設けた読取装置及びこれを用いた複写機又は複合機に関するものである。
【０００２】
【従来の技術】
従来より、レンズで集光された光以外の外光が光電変換手段に入光するのを遮断する構成を採るレンズユニットを持つ読取装置がある。このレンズユニットは、原稿からの反射光を集光するレンズからの出力光以外の外光が光電変換手段に入光するのを遮断するため、レンズと光電変換手段との間に遮光カバーを設けている。この遮光カバーを具備するレンズユニットの構造は、以下のようなものであった。図１４は、従来の遮光カバーを持つレンズユニットおよびレンズの位置を調整する調整器の斜視図である。
【０００３】
図１４が示すように、レンズユニット１４００には、レンズ１４０１の遮光カバー１４０２が設けられている。遮光カバー１４０２のレンズ１４０１側は、レンズ１４０１の光電変換手段１４０３側の上面及び両端の全体を覆うようになっている。
【０００４】
一方、遮光カバー１４０２の光電変換手段１４０３側は、図１５および図１６に示すように、光電変換手段１４０３を取り付ける光電変換手段取付板１４０４との間から外光が入光しないようにスポンジ１４０５が貼り付けられたものであった。図１５は従来のレンズユニットの断面図、図１６は従来のレンズユニットを上面から見た図である。
【０００５】
こうすることで、遮光カバー１４０２は、レンズ１４０１側ではレンズ１４０１の光電変換手段１４０３側を完全に覆っているので、レンズ１４０１からの出力光以外の外光が光電変換手段１４０３に入光されるのを遮断する。一方、遮光カバー１４０２は、光電変換手段１４０３側では遮光カバー１４０２と光電変換手段取付板１４０４との間のスポンジ１４０５によってレンズ１４０１からの出力光以外の外光が光電変換手段１４０３に入光するのを遮断している。
【０００６】
そして、原稿に対して光を照射する照射手段、読取点からの光をレンズ１４０１に入射するミラー、およびレンズユニット１４００から構成される読取光学系の組立ては、照射手段、レンズ１４０１、読取点からの光をレンズ１４０１に入射するミラー、および光電変換手段１４０３の相互間の位置関係が微妙であるため、以下のように行っていた。
【０００７】
まず、レンズ１４０１を保持するレンズ保持台１４０６にレンズ１４０１を固定し、次にレンズ保持台１４０６と光電変換手段取付板１４０４との位置関係を調整してレンズ１４０１と光電変換手段１４０３との距離を決定する。次に遮光カバー１４０２を取付け、これらを一体のレンズユニット１４００として読取装置内に載置する。次に読取装置の読取点とレンズユニット１４００との位置関係を調整するためレンズユニット１４００を前後に移動させる。このように、読取光学系全体としての調整を行っている。
【０００８】
【発明が解決しようとする課題】
しかし、かかる従来の技術では、以下のような問題が生じていた。
【０００９】
即ち、予めレンズ１４０１と光電変換手段１４０３との位置関係を調整してレンズユニット１４００を組んだ上で、読取装置の読取点とレンズユニット１４００との位置関係を調整するだけでは、不十分であり、厳密には読取精度の向上には限界があった。これは、読取点との位置関係を調整する際に、レンズ１４０１と光電変換手段１４０３との位置関係を修正できないことに起因するものである。読取点とレンズユニット１４００との位置関係を調整することにより改善されるのは倍率調整であるが、レンズ１４０１と光電変換手段１４０３との位置関係を調整することにより改善されるのはピントである。通常の場合、倍率のぶれの方がピントのぶれより読取に大きな影響を与えるため、倍率のぶれの方を調整すれば読取精度に対して大きな悪影響を与えない。しかし、より一層読取精度を向上させるにはピント調整が不可欠になる。
【００１０】
ピント調整は、レンズユニット１４００を読取装置に組込んだ状態で倍率調整が終了した後に、最終的にレンズ１４０１の保持位置を調整することで行う。しかし、レンズ１４０１自体は光電変換手段１４０３側が遮光カバー１４０２で被われている。このため、図１４に示すように遮光カバー１４０２で覆われていない露出したレンズ１４０１の円筒外周部分を治具１４０７で狭持し、治具１４０７を調整器１４０８で移動させることで、レンズ１４０１を移動させなければならない。この場合、治具１４０７は、レンズ１４０１の円筒外周前端部分をレンズ１４０１の移動方向に対して直交した状態で保持することになるので、レンズ１４０１を図１６に示すレンズ保持台１４０６のガイドに沿ってスムースに移動させることは困難であり、それを実現するには複雑な治具１４０７が必要となるという問題がある。
【００１１】
一方、遮光カバー１４０２をレンズユニット１４００から一旦取外せば、レンズ１４０１を前端と後端とで狭持して移動方向に対して平行に保持することができる。これにより、レンズ１４０１をレンズ保持台１４０６のガイド１４０９に沿ってスムースに移動させることができる。しかし、この場合、遮光カバー１４０２を外しているので、迷光がある状態でピント調整をすることになり、厳密なピント調整ができないという問題がある。
【００１２】
また、この遮光カバー１４０２は、レンズ１４０１の光電変換手段１４０３側の全体を覆うものである。このため、遮光カバー１４０２は、レンズ１４０１の高さ以上の高さが必要であり、その分装置を大型化させるという問題もある。
【００１３】
また、図１４〜図１６からわかるように、遮光カバー１４０２の測部には爪部１４１０が形成されている。そして、遮光カバー１４０２は、爪部１４１０をレンズ保持台１４０６に設けられた穴に挿入することで、レンズ保持台１４０６に固定されるようになっている。しかしながら、爪部１４１０は遮光カバー１４０２の外壁に切り欠き１４１１ａ、１４１１ｂを形成することで、遮光カバー１４０２に一体形成されるものである。このため、図１６に示すように、切り欠き１４１１ａ、１４１１ｂから外光が遮光カバー１４０２内に入り込み、遮光性能が低下するという問題がある。
【００１４】
そこで、本発明は、遮光カバーを取り付けた状態であっても、複雑な治具を用いることなく、レンズをスムースに移動させてピント調整を行うことができる読取装置及びこれを用いた複写機又は複合機を提供することを目的とする。
【００１５】
【課題を解決するための手段】
上記課題を解決するために、本発明は、原稿からの反射光を集光するレンズと、このレンズからの出力光を電気信号に変換する光電変換手段と、前記レンズと前記光電変換手段との間に配置され前記レンズからの出力光以外の外光が前記光電変換手段に入光するのを遮断する遮光カバーとを具備し、前記遮光カバーの高さは、前記レンズの高さより低く且つ前記レンズを通過する光路を妨げない高さであり、前記遮光カバーは、レンズの光電変換手段側の上面を覆わず、且つ前記レンズの光電変換手段側の両側を覆い、この覆っている部分は２重壁構造になっており、固定用のつめのために外壁に設けられた溝から入る外光を内壁が遮蔽する構成としたものである。
【００１６】
これにより、レンズの上面は遮光カバーにより覆われないので、遮光カバーを取り付けた状態のままで、レンズを前端と後端とで狭持でき、レンズの移動方向に対してレンズを平行に保持してスムースに移動させることができる。この結果、遮光カバーを取り付けた状態で、複雑な治具を用いることなく、ピント調整を行うことが可能となる。また、遮光カバーで前記レンズの光電変換手段側の上面は覆わないが両側を覆うことにより、レンズの両端から入り込む迷光を遮断するので、光電変換手段にレンズの出力光以外の外光が入り込むのを防止し、読取精度が低下するのを防止できる。また、レンズの両側を覆っている部分を２重壁構造とすることにより、固定用のつめのために外壁に設けられた溝から入る外光を内壁で遮蔽できるので、固定用のためのつめを設けたためにわずかな隙間からも迷光が光電変換素子に入り込むのを防止し、読取精度が低下するのを防止できる。
【００１７】
【発明の実施の形態】
本発明の第１の態様にかかる読取装置は、原稿からの反射光を集光するレンズと、このレンズからの出力光を電気信号に変換する光電変換手段と、前記レンズと前記光電変換手段との間に配置され前記レンズからの出力光以外の外光が前記光電変換手段に入光するのを遮断する遮光カバーとを具備し、前記遮光カバーの高さは、前記レンズの高さより低く且つ前記レンズを通過する光路を妨げない高さであり、前記遮光カバーは、レンズの光電変換手段側の上面を覆わず、且つ前記レンズの光電変換手段側の両側を覆い、この覆っている部分は２重壁構造になっており、固定用のつめのために外壁に設けられた溝から入る外光を内壁が遮蔽する構成をとる。
【００１８】
これにより、前記遮光カバーの高さを前記レンズの高さより低くすることにより、レンズの上面は遮光カバーにより覆われないので、遮光カバーを取り付けた状態のままで、レンズを前端と後端とで狭持でき、レンズの移動方向に対してレンズを平行に保持してスムースに移動させることができる。その結果、遮光カバーを取り付けた状態で、複雑な治具を用いることなく、ピント調整を行うことが可能となり、読取精度を向上させることができる。また、読取装置の高さを、レンズ以上の高さを基準に設計する必要がなくなるので、その分装置の小型化を図ることができる。
【００１９】
また、前記遮光カバーの高さを、前記レンズを通過する光路を妨げない高さとすることより、前記遮光カバーの高さを前記レンズの高さより低くした場合であっても、前記遮光カバーが光路を妨げることはないので、遮光カバーとしての機能を果しつつ、ピント調整の際にスムースにレンズを移動させることができる。
【００２１】
また、遮光カバーをレンズ保持体に固定するために、遮光カバーには固定用のつめが設けられている。この固定用のつめは、遮光カバーの外壁を切り欠いて一体形成するものであるため、その切り欠いた溝から外光が遮光カバー内に入り込み、遮光性能を低下させる。そこで、遮光カバーで前記レンズの光電変換手段側の上面は覆わないが両側を覆うことにより、レンズの両端から入り込む迷光を遮断するので、光電変換手段にレンズの出力光以外の外光が入り込むのを防止し、読取精度が低下するのを防止できる。
【００２２】
さらに、レンズの両側を覆っている部分を２重壁構造とすることにより、固定用のつめのために外壁に設けられた溝から入る外光を内壁で遮蔽できるので、固定用のためのつめを設けたためにわずかな隙間からも迷光が光電変換素子に入り込むのを防止し、読取精度が低下するのを防止できる。
【００２３】
本発明の第２の態様は、第１の態様にかかる読取装置において、光電変換手段を取り付ける光電変換手段取付板を設け、この光電変換手段取付板はその上辺をレンズ側に曲げ、また、前記遮光カバーの光電変換手段側は前記光電変換手段取付板の曲げた部分の下方に差込まれて固定されている構成を採る。
【００２４】
これにより、光電変換手段を取り付けた光電変換手段取付板の上辺をレンズ側に曲げ、その曲げた部分の下方に前記遮光カバーの光電変換手段側を差込むことにより、遮光カバーの構造だけで遮光カバーと光電変換手段との間に入り込む迷光を遮断できるので、迷光を遮断するためのスポンジを省くことができ、その分部品点数を削減し、低コストを図ることができる。
【００２５】
本発明の第３の態様は、第１の態様にかかる読取装置において、光電変換手段を取り付ける光電変換手段取付板を設け、この光電変換手段取付板はその上辺をレンズ側に曲げ、また、前記遮光カバーの光電変換手段側はその上辺に光電変換手段側に突き出たひさし部を設けて、このひさし部を前記光電変換手段取付板の曲げた部分の下方に差込み固定した構成を採る。
【００２６】
このように、前記遮光カバーの光電変換手段側はその上辺に光電変換手段側に突き出たひさし部を設けて、このひさし部を前記光電変換手段取付板の曲げた部分の下方に差込むことにより、倍率調整又はピント調整の際に光電変換手段取付板を前後左右に動かした場合であっても、前記遮光カバーと前記光電変換手段取付板との間には前記遮光カバーのひさし部が存在するので、倍率調整又はピント調整のために前記遮光カバーと前記光電変換手段取付板との間に隙間が生ずるのを防ぎ、その間から迷光が入り読取精度を劣化させるのを確実に防止できる。
【００２７】
本発明の第４の態様は、第１の態様乃至第３の態様のいずれかの読取装置を用いた複写機又は複合機である。
【００２８】
これにより、第１の態様乃至第３の態様の発明を本読取装置に用いた複写機及び複合機により第１の態様乃至第３の態様と同様の発明の効果を得ることができる。
【００３５】
以下、本発明の一実施の形態について、図面を参照して詳細に説明する。
【００３６】
図１は、本発明の一実施の形態にかかる読取装置が搭載される複写機１００の概略構成図である。図１に示すように、本複写機１００は、上部に原稿の読み取りを行う読取装置１０１を備え、その下方に給紙、転写、記録、定着の処理を実行する本体ユニット１０２を備える。
【００３７】
本体ユニット１０２の底部周辺には、給紙カセット１０３が設置されている。給紙カセット１０３は、図１に示す本複写機１００の正面から抜き取ることができる。この給紙カセット１０３の構成については後述する。
【００３８】
給紙カセット１０３にセットされた用紙束の最上面の用紙がピックアップローラ１０４によって取り出される。なお、図１に示すように本複写機１００ は、給紙カセット１０３と同様の給紙カセットを３段備えている。
【００３９】
給紙カセット１０３から取り出された用紙は、給紙ローラ１０５によって本体ユニット１０２の底部から上方に向けて形成された紙パス１０６に送り込まれる。紙パス１０６には、複数の搬送ローラ１０７、１０８及び１０９が配置されている。
【００４０】
最も上方に配置された搬送ローラ１０９によって搬送された用紙は、搬送ローラ１１０によってレジストローラ１１１に渡される。レジストローラ１１１による用紙の搬送先には、回転する感光体ドラム１１２が配置されている。
【００４１】
感光体ドラム１１２の上方には、感光体ドラム１１２の表面に潜像画像を形成するＬＳＵ（Laser Scan Unit）１１３が配置されている。感光体ドラム１１２に形成された潜像画像にトナーを付着させる現像装置１１４が感光体ドラム１１２に隣接して配置されている。現像装置１１４内部には現像剤を攪拌・搬送する攪拌ローラと感光体ドラム１１２にトナーを付着させる現像ローラを備えている。
【００４２】
感光体ドラム１１２の下方には、感光体ドラム１１２に現像剤が付着することで形成された画像を、搬送される用紙に転写する転写器１１５が設置されている。なお、感光体ドラム１１２上の画像と用紙の記録領域との位置調整はレジストローラ１１１によって制御される。
【００４３】
画像を転写し終わった感光体ドラム１１２の表面をクリーニングするクリーニングユニット１１６が感光体ドラム１１２に隣接して配置されている。画像が転写された用紙は搬送ベルト１１７によりさらに搬送される。搬送ベルト１１７の搬送先には定着ユニット１１８が配置されている。
【００４４】
定着ユニット１１８は、定着ローラ１１９及び定着ローラ１１９に対向配置された加圧ローラ１２０を備えている。定着ローラ１１９が用紙の記録面に熱を加え、加圧ローラ１２０が用紙を定着ローラ１１９との間で押圧することにより、用紙に画像が定着する。
【００４５】
定着ユニット１１８から排出された用紙は、排出ローラ１２１により本体ユニット１０２の外部に排出される。本体ユニット１０２から排出された用紙は、排紙トレイ１２２上に受け止められる。
【００４６】
定着ユニット１１８と排出ローラ１２１との間に、用紙を本体ユニット１０２の外部に排出するか、両面記録を行うための両面パス１２３に送り込むかを切り替える切替ガイド１２４が配置されている。両面パス１２３は、切替ガイド１２４の近傍から下方向に向かって形成された部分（１２３Ａ）と、その途中で略水平方向に向かって形成された部分（１２３Ｂ）とで構成されている。
【００４７】
両面パス１２３に送り込まれた用紙は、反転ローラ１２５により両面パス１２３のうち、下方向に形成された部分１２３Ａの延長上に形成された反転パス１２６に一旦引き込まれる。反転パス１２６に用紙が引き込まれると、反転ローラ１２５が反転し、用紙を両面パス１２３のうち、略水平方向に形成された部分１２３Ｂに送り込む。この時点で用紙の表裏が反転する。
【００４８】
略水平方向に形成された両面パス１２３Ｂに送り込まれた用紙は、両面パス１２３Ｂ上に形成された搬送ローラ１２７、１２８及び１２９により搬送される。両面パス１２３Ｂは、搬送ローラ１１０の下方で紙パス１０６に連結されている。搬送ローラ１２７、１２８及び１２９により両面パス１２３Ｂを搬送し、紙パス１０６に送り込まれた用紙は、再度、感光体ドラム１１２の下方に送り込まれ、今度はその裏面に画像が形成される。
【００４９】
なお、本複写機１００は、上述した給紙カセット１０３のほか、大容量の用紙を給紙可能な大容量給紙カセット１３０も備えている。
【００５０】
次に、読取装置１０１の構成について、図２を用いて説明する。図２は、上記実施の形態にかかる読取装置の上面図である。なお、図２は、読取装置１０１のカバーを外した状態の図である。
【００５１】
読取装置１０１の上面には、原稿が載置されるガラス面２００が設けられている。
【００５２】
また、読取装置１０１のガラス面２００の下方には、等速キャリッジ２０１が設けられている。等速キャリッジ２０１は、読取装置１０１の側壁に長手方向に沿って設けられた一対のレール２０２ａ、２０２ｂ上に配置され、レール２０２ａ、２０２ｂ上を図中の左側から右側（読取方向）に移動する。そして、等速キャリッジ２０１は、レール２０２ａ、２０２ｂ上を移動しながら、上方に載置された原稿に光を照射し、原稿から反射した光を、読取方向後方に設けられた半速キャリッジ２０３に送る。
【００５３】
半速キャリッジ２０３は、等速キャリッジ２０１の動きに同期して、等速キャリッジ２０１の半分の速度でレール２０２ａ、２０２ｂ上を移動する。そして、半速キャリッジ２０３は、等速キャリッジ２０１で反射した光を反射し、等速キャリッジ２０１よりもさらに読取方向前方に設けられたレンズユニット２０４に送る。
【００５４】
レンズユニット２０４は、読取装置１０１内に読取方向に対して交差する方向に設けられたレンズ取付板２０５に取り付けられている。また、レンズユニット２０４の半速キャリッジ２０３側には、半速キャリッジ２０３から送られてきた光を集光するレンズ２０６が設けられている。レンズ２０６は、長手方向が光の進行方向と平行になるように配置されている。
【００５５】
また、レンズユニット２０４の半速キャリッジ２０３と反対側には、レンズ２０６が集光した光を電気信号に変換する光電変換手段であるＣＣＤ２０７が設けられている。そして、読取装置１０１は、ＣＣＤ２０７が光電変換した電気信号を解析することで、原稿に記述された情報を読み取る。
【００５６】
また、レンズユニット２０４のレンズ２０６とＣＣＤ２０７との間には、レンズ２０６からの出力光以外の外光がＣＣＤ２０７に入光するのを遮断する遮光カバー２０８が設けられている。
【００５７】
また、レンズユニット２０４の測部には、ラック２０９が形成されている。一方、レンズ取付板２０５のラック２０９に対向する位置には、光の入射方向に沿ってスケール２１０が設けられている。そして、レンズユニット２０４のラック２０９をピニオンギア（不図示）に係合させながらスケール２１０に沿ってスライドさせることで、レンズユニット２０４を読取方向、つまり光の進行方向に沿って移動できるようになっている。
【００５８】
次に、レンズユニット２０４について詳細に説明する。レンズユニット２０４の構成について図３〜図５を用いて詳細に説明する。図３は上記実施の形態にかかるレンズユニットの斜視図であり、図４は上記実施の形態にかかるレンズユニットの上面図であり、図５は上記実施の形態にかかるレンズユニットからレンズおよび遮光カバーを外した状態の斜視図である。
【００５９】
これらの図からわかるように、レンズユニット２０４の底部には、レンズユニット２０４を図２に示すレンズ取付板２０５に取り付けるレンズベース３０１が設けられている。レンズベース３０１の両端には、レンズベース３０１をレンズ取付板２０５に取り付ける取付部３０２、３０３が設けられている。取付部３０２、３０３には、光の入射方向、つまりレンズ２０６の長手方向に沿って長く形成された長穴３０４、３０５ａ〜３０５ｃが形成されている。この長穴３０４、３０５ａ〜３０５ｃおよび、レンズ取付板２０５に形成された穴部（図示せず）にネジ（図示せず）を挿入することで、レンズベース３０１はレンズ取付板２０５に取り付けられている。また、長穴３０４、３０５ａ〜３０５ｃは、光の入射方向に沿って長く、つまり取付部３０３の測部に設けられたラック２０９に沿った方向が長く形成されているので、長穴３０４、３０５ａ〜３０５ｃおよび、レンズ取付板２０５に形成された穴部に挿入するネジを緩めることで、レンズベース３０１をラック２０９に沿って移動させることができる。
【００６０】
また、レンズベース３０１の中ほどには、レンズ２０６を保持するレンズ保持穴３０６が形成されている。レンズ保持穴３０６の幅は、レンズ２０６の径より小さくなっており、レンズ２０６がレンズベース３０１の下方に落下しないようになっている。また、レンズ保持穴３０６の長さは、レンズ２０６の長さより長くなっており、レンズ２０６がレンズ保持穴３０６に保持された状態で、レンズ保持穴３０６の長さ方向に動けるようになっている。
【００６１】
また、図３、図４に示すように、レンズ２０６は、レンズベース３０１のレンズ保持穴３０６に嵌め込まれた状態で、レンズ押さえバネ３０７で押さえつけられている。図４に示すように、レンズ押さえバネ３０７の一端には穴部３０８が形成されている。また、レンズ押さえバネ３０７の他端には長方形の角穴３１０が形成されている。
【００６２】
一方、図３〜図５に示すように、レンズベース３０１のレンズ保持穴３０６の側方には、レンズ押さえバネ３０７の角穴３１０を引っ掛ける突起部３０９が形成されている。また、図５に示すように、レンズベース３０１のレンズ保持穴３０６の側方であって突起部３０９が形成されていない側方には、穴部５０１が形成されている。そして、図３、図４に示すようにレンズ押さえバネ３０７の穴部３０８およびレンズベースの穴部５０１にネジ３４０を挿入し、角穴３１０に突起部３０９を挿入し引っ掛けることで、レンズ押さえバネ３０７によりレンズ２０６は固定されている。
【００６３】
また、図３〜図５に示すように、レンズベース３０１のＣＣＤ２０７側には、レンズ２０６の長手方向に対して直交する方向に延接する接続部材３１１が取り付けられている。接続部材３１１には、レンズベース３０１上にレンズベース３０１と平行に配置されるベース部３２８と、ベース部３２８に連なりベース部３２８から上方に直角に延びる垂直部３３０と、垂直部３３０に連なり垂直部３３０の両端から直角にレンズ２０６側に延びベース部３２８と平行になされた両端部３１２ａ、３１２ｂが形成されている。
【００６４】
また、図５に示すように、接続部材３１１のベース部３２８には、一対の穴部３２９ａ、３２９ｂ（図５ではワッシャに隠れているが図１１に図示）が形成されている。一方、レンズベース３０１の、接続部材３１１の穴部３２９ａ、３２９ｂに対向する位置には、図示しない一対の穴部が設けられている。
【００６５】
そして、接続部材３１１の穴部３２９ａ、３２９ｂおよびレンズベース３０１の図示しない穴部にネジ３３１ａ、３３１ｂを挿入することで、接続部材３１１がレンズベース３０１に取り付けられている。
【００６６】
また、接続部材３１１の穴部３２９ａ、３２９ｂに対向する、レンズベース３０１の図示しない穴部は、レンズ２０６の長手方向に交差する方向が長く形成された長穴になっている。これにより、ネジ３３１ａ、３３１ｂを緩めることで、接続部材３１１をレンズベース３０１およびＣＣＤ２０７に対して横方向、つまり光の入射方向と交差する方向に移動することができる。
【００６７】
また、図３〜図５に示すように、接続部材３１１のベース部３２８の両端部には、穴部３２７ａ、３２７ｂ（図５ではネジ３１７ａ、３１７ｂで隠れているが図１１に図示）が形成されている。また、接続部材３１１の両端部３１２ａ、３１２ｂには穴部３１３ａ、３１３ｂ（図５ではネジ３１７ａ、３１７ｂで隠れているが図１１に図示）が形成されている。
【００６８】
また、接続部材３１１のＣＣＤ２０７側には、ＣＣＤ２０７を取り付けるためのＣＣＤ取付板３１４が取り付けられている。ＣＣＤ取付板３１４には、レンズベース３０１に対して垂直でありＣＣＤ２０７が取り付ける取付部３２６と、取付部３２６の上部に連なり取付部３２６に対してレンズ２０６側に直角に延びる上面部３１８と、取付部３２６の下部に連なり取付部３２６に対してレンズ２０６側に直角に延びる底面部３２４が形成されている。また、ＣＣＤ取付板３１４の上面部３１８の両端には、上面部３１８からレンズ２０６側にさらに突出した両端部３２５ａ、３２５ｂが形成されている。さらに、両端部３２５ａ、３２５ｂには、穴部３１６ａ、３１６ｂ（図５ではネジ３１７ａ、３１７ｂで隠れているが図１１に図示）が形成されている。
【００６９】
そして、ＣＣＤ取付板３１４の内部に接続部材３１１を含むように配置した状態で、ＣＣＤ取付板３１４の穴部３１６ａ、３１６ｂと、接続部材３１１の穴部３１３ａ、３１３ｂおよび３２７ａ、３２７ｂの夫々に、ネジ３１７ａ、３１７ｂを挿入することで、ＣＣＤ取付板３１４が接続部材３１１に取り付けられている。
【００７０】
また、接続部材３１１の両端部３１２ａ、３１２ｂと、ＣＣＤ取付板３１４の両端部３２５ａ、３２５ｂとの間には、内部にネジ３１７ａ、３１７ｂを含んだ状態で縮んだスプリング３１５ａ、３１５ｂが取り付けられている。このスプリング３１５ａ、３１５ｂにより、接続部材３１１の両端部３１２ａ、３１２ｂと、ＣＣＤ取付板３１４の両端部３２５ａ、３２５ｂとの間隔がゆるみなく一定に保たれている。また、ネジ３１７ａ、３１７ｂを締めたり、緩めたりすることで、接続部材３１１の両端部３１２ａ、３１２ｂと、ＣＣＤ取付板３１４の両端部３２５ａ、３２５ｂとの間隔が調整できるようになっている。つまり、ＣＣＤ取付板３１４をレンズベース３０１に対して上下（高さ方向）に移動することができる。
【００７１】
また、図５に示すように、ＣＣＤ取付板３１４の取付部３２６の中央部には、光が通過する開口部３３２が形成されている。
【００７２】
また、図３〜図５に示すように、ＣＣＤ取付板３１４の取付部３２６のレンズと反対側には、ＣＣＤスペーサ３２３の中にＣＣＤ２０７が取り付けられている。ＣＣＤ取付板３１４、ＣＣＤスペーサ３２３およびＣＣＤ２０７には、一対の図示しない穴部が形成され、これらの穴部にネジ３３４ａ、３３４ｂを挿入することで、ＣＣＤ取付板３１４の取付部３２６にＣＣＤスペーサ３２３を挟んでＣＣＤ２０７が取り付けられている。また、ＣＣＤ２０７は、ＣＣＤ取付板３１４の開口部３３２に対向する位置に取り付けられている。
【００７３】
また、図５、図９に示すように、レンズベース３０１の下方には、突起部５０２が形成されている。そして、突起部５０２とＣＣＤ取付板３１４の底面部３２４の一部にバネ５０３が懸架されている。これにより、レンズベース３０１とＣＣＤ取付板３１４との位置関係が一定に保たれるようになっている。
【００７４】
また、図３〜図５に示すように、レンズユニット２０４のレンズ２０６とレンズ取付板３１４との間には、遮光カバー２０８が設けられている。
【００７５】
ここで、遮光カバー２０８の構成について、図６〜図８を用いて説明する。図６は上記実施の形態にかかる遮光カバーを上方からみた斜視図であり、図７は上記実施の形態にかかる遮光カバーを下方からみた斜視図であり、図８は上記実施の形態にかかる遮光カバーの側面図である。
【００７６】
これらの図からわかるように、遮光カバー２０８は、内部に光が通過する光路６０１が形成されている本体部Ａと、本体部Ａに連なり本体部Ａから光路６０１に沿って突出する一対の突出部Ｂ、Ｃと、が一体形成されている。
【００７７】
また、遮光カバー２０８の本体Ａには、光路６０１を覆うように、上面部６０２が設けられている。また、上面部６０２に両側には、上面部６０２に対して直角に、かつ光路６０１の側部を覆うように形成された側壁６０３ａ、６０３ｂが連なっている。
【００７８】
また、遮光カバー２０８の上面部６０２における突出部Ｂ、Ｃとの反対側の端片には、上面部６０２に対して直角に形成された後壁６１２が連なっている。また、図７に示すように後壁６１２の中ほどには、開口部６１３が形成され、開口部６１３からのみ光が通過するようになっている。
【００７９】
また、図６〜図８に示すように、遮光カバー２０８の後壁６１２の上部には、後方、つまり突出部Ｂ、Ｃとの反対側に突き出たひさし部６１４が形成されている。
【００８０】
また、遮光カバー２０８の突起部Ｂ、Ｃの上部には、遮光カバー２０８の上面部６０２に連なり、光路６０１に沿って突出する一対の突出面６０４ａ、６０４ｂが形成されている。また、突出面６０４ａ、６０４ｂの内側には、突出面６０４ａ、６０４ｂに対して垂直に、かつ光路６０１の両側を覆うように形成された内壁６０５ａ、６０５ｂが連なっている。また、突出面６０４ａ、６０４ｂの先端側には、突出面６０４ａ、６０４ｂに対して垂直に形成された、先端壁６０６ａ、６０６ｂが連なっている。突出面６０４ａ、６０４ｂの外側には、突出面６０４ａ、６０４ｂに対して垂直に外壁６０７ａ、６０７ｂが連なっている。
【００８１】
また、図３からわかるように、突出部Ｂ、Ｃの内壁６０５ａ、６０５ｂ間の距離はレンズ２０６の径より大きくなっている。
【００８２】
また、図３、図１０からわかるように、側壁６０３ａ、６０３ｂ、内壁６０５ａ、６０５ｂ、先端壁６０６ａ、６０６ｂ、外壁６０７ａ、６０７ｂの高さは同じになっており、かつレンズ２０６の高さよりも低くなっている。つまり、遮光カバー２０８の高さはレンズ２０６よりも低くなっている。また、遮光カバー２０８の高さは、レンズ２０６を通過する光路を妨げない高さになっている。
【００８３】
また、図６〜図８に示すように、遮光カバー２０８の外壁６０７ａ、６０７ｂには、外壁６０７ａ、６０７ｂの下方に突出する係合片６０８ａ、６０８ｂが形成されている。また、係合片６０８ａ、６０８ｂの先端には、係合片６０８ａ、６０８ｂから外側に突出するつめ６０９ａ、６０９ｂが形成されている。また、遮光カバー２０８の外壁６０７ａ、６０７ｂの係合片６０８ａ、６０８ｂの両側には、切り欠き６１０ａ、６１０ｂ、６１１ａ、６１１ｂが形成され、係合片６０８ａ、６０８ｂに弾力性を持たせている。このように、遮光カバー２０８には、遮光カバー２０８をレンズベース３０１に取り付けるための手段である係合片６０８ａ、６０８ｂおよびつめ６０９ａ、６０９ｂが外壁６０７ａ、６０７ｂに一体形成されている。
【００８４】
次に、遮光カバー２０８のレンズユニット２０４への取付について説明する。
【００８５】
まず、図９に示すように、遮光カバー２０８を後壁６１２から、ＣＣＤ取付板３１４の上面部３１８と、接続部材３１１のベース部３２８の間に挿入する。次に、遮光カバー２０８のつめ６０９ａ、６０９ｂを、図５に示す、レンズユニット２０４のレンズベース３０１におけるレンズ保持穴３０６後方の両側に設けられた角穴３３５ａ、３３５ｂに挿入する。このようにして、遮光カバー２０８はレンズユニット２０４に取り付けられている。なお、図９は、上記実施の形態にかかるレンズユニットの断面図である。
【００８６】
遮光カバー２０８をレンズユニット２０４に取り付けると、図４に示すように、遮光カバー２０８からレンズ２０６側に突出した突出部Ｂ、Ｃの、内壁６０５ａ、６０５ｂ、先端壁６０６ａ、６０６ｂ、および外壁６０７ａ、６０７ｂが、レンズ２０６の後端の両側に位置し、内壁６０５ａ、６０５ｂおよび外壁６０７ａ、６０７ｂがレンズ２０６の後端の側部を覆うようになる。
【００８７】
また、遮光カバー２０８をレンズユニット２０４に取り付けると、図４に示すように、遮蔽カバー２０８の本体部Ａと、レンズ２０６との間に空間ができるようになっている。
【００８８】
次に、遮光カバー２０８の光遮蔽について、図９および図１０を用いて説明する。図１０は、上記実施の形態にかかる遮光カバーの光遮蔽を説明するための、レンズユニットの上面図である。
【００８９】
遮光カバー２０８の高さは、レンズ２０６より結像側に形成される光束径の高さよりも低いが、ＣＣＤ２０７に入射する光束を妨げない高さになされている。これにより、図９に示すように、レンズ２０６に入射された光は、レンズ２０６によって集光され、遮光カバー２０８の上面部６０２の下方にある光路６０１に入り、ＣＣＤ２０７に届く。
【００９０】
一方、レンズ２０６の上方からの迷光９０１は、遮光カバー２０８の本体部Ａの上面部６０２に遮られてＣＣＤ２０７には、直接光として入射することはない。
【００９１】
このように、遮光カバー２０８の高さを、レンズ２０６を通過する光路を妨げない高さとすることより、遮光カバー２０８の高さをレンズ２０６の高さより低くした場合であっても、遮光カバー２０８が光路を妨げることはないので、遮光カバー２０８としての機能を果しつつ、ピント調整の際にスムースにレンズ２０６を移動させることができる。
【００９２】
また、遮光カバー２０８の本体部Ａにおける上面部６０２のＣＣＤ２０７側が、ＣＣＤ取付板３１４の上面部３１８の下方内部に差込まれているので、遮蔽カバー２０８の上面部６０２が、遮光カバー２０８の上面部６０２のＣＣＤ２０７側からＣＣＤ２０７に漏れ込もうとする迷光を遮蔽する。
【００９３】
このように、ＣＣＤ２０７を取り付けたＣＣＤ取付板３１４の上辺をレンズ２０６側に曲げた上面部３１８の下方に、遮光カバー２０８のＣＣＤ２０７側を差込むことにより、遮光カバー２０８の構造だけで遮光カバー２０８とＣＣＤ２０７との間に入り込む迷光を遮断できる。この結果、従来使用していた迷光を遮断するためのスポンジを省くことができ、その分部品点数を削減し、低コストを図ることができる。
【００９４】
さらに、遮光カバー２０８の本体部Ａの上面部６０２におけるＣＣＤ２０７側には、ひさし部６１４が存在するので、ひさし部６１４が遮光カバー２０８の上面部６０２のＣＣＤ２０７側からＣＣＤ２０７に迷光が届かないように確実に迷光を遮蔽する。
【００９５】
このように、遮光カバー２０８のＣＣＤ２０７側の上辺にＣＣＤ２０７側に突き出たひさし部６１４を設けて、このひさし部６１４をＣＣＤ取付板３１４の曲げた上面部３１８の下方に差込むことにより、倍率調整又はピント調整の際にＣＣＤ取付板３１４を前後左右に動かした場合であっても、遮光カバー２０８とＣＣＤ取付板３１４との間には遮光カバー２０８のひさし部６１４が存在するので、倍率調整又はピント調整のために遮光カバー２０８とＣＣＤ取付板３１４との間に隙間が生ずるのを防ぐことができる。この結果、その間から迷光が入り読取精度を劣化させるのを確実に防止できる。
【００９６】
また、図１０に示すように、遮光カバー２０８は本体部Ａの上面部６０２においてレンズ２０６のＣＣＤ２０７側は覆わないが、遮蔽カバー２０８の突出部Ｂ、Ｃの外壁６０７ａ、６０７ｂおよび内壁６０５ａ、６０５ｂが、レンズ２０６のＣＣＤ２０７側の両側を覆うようになっている。これにより、レンズ２０６の両側から入り込む迷光１００１は、外壁６０７ａの切り欠き６１０ａ、６１０ｂからは内部に侵入するが、内壁６０５ａ、６０５ｂにより遮断される。よって、遮蔽カバー２０８は、ＣＣＤ２０７にレンズ２０６の出力光以外の外光が入り込むのを防止し、読取精度が低下するのを防止する。
【００９７】
このように、遮光カバー２０８でレンズ２０６のＣＣＤ２０７側の上面は覆わないが両側を覆うことにより、レンズ２０６の両端から入り込む迷光を遮断するので、ＣＣＤ２０７にレンズ２０６の出力光以外の外光が入り込むのを防止し、読取精度が低下するのを防止できる。また、遮光カバー２０８のレンズ２０６の両側を覆っている部分を２重壁構造とすることにより、固定用のつめ６０９ａ、６０９ｂのために外壁６０７ａ、６０７ｂに設けられた切り欠き６１０ａ、６１０ｂ、６１１ａ、６１１ｂから入る外光を内壁６０５ａ、６０５ｂで遮蔽できる。これにより、固定用のつめ６０９ａ、６０９ｂを設けたために生じたわずかな隙間からも迷光がＣＣＤ２０７に入り込むのを防止し、読取精度が低下するのを防止できる。
【００９８】
次に、レンズ２０６と、ＣＣＤ２０７との左右および高さの位置調整について、図１１を用いて説明する。図１１は、上記実施の形態にかかるレンズとＣＣＤとの左右および高さの位置調整を説明するための図である。
【００９９】
レンズ２０６とＣＣＤ２０７との左右の位置を調整するためには、接続部材３１１をレンズベース３０１に取り付けているネジ３３１ａ、３３１ｂを緩める。ネジ３３１ａ、３３１ｂが挿入されている穴部３２９ａ、３２９ｂのＣＣＤ２０７の左右方向における長さがネジ３３１ａ、３３１ｂの径より大きくなっているので、ネジ３３１ａ、３３１ｂは穴部３２９ａ、３２９ｂ内を左右に動けるようになる。つまり、レンズ２０６とＣＣＤ２０７との左右の位置の調整が可能になる。そして、レンズ２０６とＣＣＤ２０７との左右の位置を適切に調整し、再度ネジ３３１ａ、３３１ｂを締める。このようにして、レンズ２０６とＣＣＤ２０７との左右の位置を調整する。
【０１００】
また、レンズ２０６に対してＣＣＤ２０７の位置を上げるには、ＣＣＤ取付板３１４を接続部材３１１に取り付けているネジ３１７ａ、３１７ｂを緩める。これにより、ＣＣＤ取付部３１４と接続部材３１１との間隔が離れる。この結果、レンズ２０６に対してＣＣＤ２０７の位置が上がることになる。また、この場合であっても、スプリング３１５ａ、３１５ｂがＣＣＤ取付板３１４を上方に、接続部材３１１を下方に付勢しているので、ＣＣＤ取付部３１４と接続部材３１１との間隔が一定に保たれる。
【０１０１】
また、レンズ２０６に対してＣＣＤ２０７の位置を下げるには、ＣＣＤ取付板３１４を接続部材３１１に取り付けているネジ３１７ａ、３１７ｂを締める。これにより、ＣＣＤ取付部３１４と接続部材３１１との間隔が近くなる。この結果、レンズ２０６に対してＣＣＤ２０７の位置が下がることになる。また、この場合であっても、スプリング３１５ａ、３１５ｂがＣＣＤ取付板３１４を上方に、接続部材３１１を下方に付勢しているので、ＣＣＤ取付部３１４と接続部材３１１との間隔が一定に保たれる。
【０１０２】
次に、レンズ２０６とＣＣＤ２０７との距離の調整について、図１２を用いて説明する。図１２は、上記実施の形態にかかるレンズとＣＣＤとの距離の調整を説明するための図である。
【０１０３】
レンズ２０６とＣＣＤ２０７との距離の調整をする際には、まず、ネジ３４０を緩め、レンズ２０６がレンズ保持穴３０６内をＣＣＤ２０７の方向に沿って移動できるようにする。次に、露出したレンズ２０６の前端１２０２および後端１２０３を治具１２０１により挟持する。次に、治具１２０１をレンズ２０６の光軸方向に沿って動かす。そして、レンズ２０６とＣＣＤ２０７との距離が適切な距離になったら、ネジ３４０を締めて位置決めをする。
【０１０４】
ここで着目すべき点は、レンズ２０６の上面が遮光カバー２０８により覆われないことである。これにより、遮光カバー２０８を取り付けた状態のままで、治具１２０１によりレンズ２０６の前端１２０２と後端１２０３とを狭持でき、レンズ２０６の移動方向に対してレンズ２０６を平行に保持してスムースに移動させることができる。
【０１０５】
次に、読取装置１０１のピント調整および倍率調整について、図１３を用いて説明する。図１３は、上記実施の形態にかかる読取装置のピント調整および倍率調整を説明するための図である。
【０１０６】
読取装置１０１の倍率調整を行う際は、レンズユニット２０４を図２に示すレンズ取付板２０５に取り付け、次に読取装置に載置された原稿の原稿面とレンズユニット２０４との位置関係を調整する。具体的には、レンズユニット２０４のラック２０９をレンズ取付板２０５のスケール２１０に沿って移動させることで、レンズユニット２０４を原稿面に対して前後に移動させる。このようにして、読取装置１０１の倍率調整を行う。
【０１０７】
読取装置１０１のピント調整をする際には、レンズユニット２０４を読取装置１０１に組込んだ状態で倍率調整が終了した後に、上述したように治具１２０１を用いてレンズ２０６とＣＣＤ２０７との距離の調整することで、レンズ２０６とＣＣＤ２０７の像面との距離を調整する。このようにして、読取装置１０１のピント調整を行う。
【０１０８】
以上説明したように、上記実施の形態によれば、遮光カバー２０８の高さをレンズ２０６の高さより低くすることにより、レンズ２０６の上面は遮光カバー２０８により覆われないようにできる。これにより、遮光カバー２０８を取り付けた状態のままで、レンズ２０６を前端と後端とで狭持でき、レンズ２０６の移動方向に対してレンズ２０６を平行に保持してスムースに移動させることができる。その結果、遮光カバー２０８を取り付けた状態で、複雑な治具を用いることなく、ピント調整を行うことが可能となり、読取精度を向上させることができる。また、読取装置１０１の高さを、レンズ２０６以上の高さを基準に設計する必要がなくなるので、その分装置の小型化を図ることができる。
【０１０９】
なお、上記実施の形態では、本読取装置１０１を複写機１００に搭載した形態で説明したが、本読取装置１０１をファクシミリ機能、複写機能、プリンタ機能等を有する複合機に搭載した形態であっても良い。
【０１１０】
【発明の効果】
以上説明したように、本発明によれば、遮光カバーを取り付けた状態であっても、レンズの前端および後端が露出するので、複雑な治具を用いることなく、レンズをスムースに移動させてピント調整を行うことができる。また、前記遮光カバーの高さを、前記レンズを通過する光路を妨げない高さとすることより、前記遮光カバーの高さを前記レンズの高さより低くした場合であっても、前記遮光カバーが光路を妨げることはないので、遮光カバーとしての機能を果しつつ、ピント調整の際にスムースにレンズを移動させることができる。また、遮光カバーで前記レンズの光電変換手段側の上面は覆わないが両側を覆うことにより、レンズの両端から入り込む迷光を遮断するので、光電変換手段にレンズの出力光以外の外光が入り込むのを防止し、読取精度が低下するのを防止できる。さらに、レンズの両側を覆っている部分を２重壁構造とすることにより、固定用のつめのために外壁に設けられた溝から入る外光を内壁で遮蔽できるので、固定用のためのつめを設けたためにわずかな隙間からも迷光が光電変換素子に入り込むのを防止し、読取精度が低下するのを防止できる。
【図面の簡単な説明】
【図１】本発明の一実施の形態にかかる読取装置が搭載される複写機の概略構成図
【図２】上記実施の形態にかかる読取装置の上面図
【図３】上記実施の形態にかかるレンズユニットの斜視図
【図４】上記実施の形態にかかるレンズユニットの上面図
【図５】上記実施の形態にかかるレンズユニットからレンズおよび遮光カバーを外した状態の斜視図
【図６】上記実施の形態にかかる遮光カバーを上方からみた斜視図
【図７】上記実施の形態にかかる遮光カバーを下方からみた斜視図
【図８】上記実施の形態にかかる遮光カバーの側面図
【図９】上記実施の形態にかかるレンズユニットの断面図
【図１０】上記実施の形態にかかる遮光カバーの光遮蔽を説明するための、レンズユニットの上面図
【図１１】上記実施の形態にかかるレンズとＣＣＤとの左右および高さの位置調整を説明するための図
【図１２】上記実施の形態にかかるレンズとＣＣＤとの距離の調整を説明するための図
【図１３】上記実施の形態にかかる読取装置のピント調整および倍率調整を説明するための図
【図１４】従来の遮光カバーを持つレンズユニットおよびレンズの位置を調整する調整器の斜視図
【図１５】従来のレンズユニットの断面図
【図１６】従来のレンズユニットを上面から見た図
【符号の説明】
１００  複写機
１０１  読取装置
２０４  レンズユニット
２０５  レンズ取付板
２０６  レンズ
２０７  ＣＣＤ
２０８  遮光カバー
２０９  ラック
３０１  レンズベース
３０６  レンズ保持穴
３０７  レンズ押さえバネ
３１１  接続部材
３１４  ＣＣＤ取付板
３１８  上面部
３２３  ＣＣＤスペーサ
３２６  取付部
３２８  ベース部
３３２  開口部
６０１  光路
６０２  上面部
６０３ａ、６０３ｂ  側壁
６０４ａ、６０４ｂ  突出面
６０５ａ、６０５ｂ  内壁
６０７ａ、６０７ｂ  外壁
６０８ａ、６０８ｂ  係合片
６０９ａ、６０９ｂ  つめ
６１０ａ、６１０ｂ、６１１ａ、６１１ｂ  切り欠き
６１２  後壁
６１４  ひさし部
１２０１  治具
【図１】
0003955775.tif 000002
【図２】
0003955775.tif 000003
【図３】
0003955775.tif 000004
【図４】
0003955775.tif 000005
【図５】
0003955775.tif 000006
【図６】
0003955775.tif 000007
【図７】
0003955775.tif 000008
【図８】
0003955775.tif 000009
【図９】
0003955775.tif 000010
【図１０】
0003955775.tif 000011
【図１１】
0003955775.tif 000012
【図１２】
0003955775.tif 000013
【図１３】
0003955775.tif 000014
【図１４】
0003955775.tif 000015
【図１５】
0003955775.tif 000016
【図１６】
0003955775.tif 000017